(57)【要約】      （修正有）【課題】医薬品用容器において、開封時に、使用者の指等によって汚染されない様な容器を提供する。【解決手段】医薬品用容器１は、２枚のアルミニウム製多重フィルムと底部側に二つ折りに曲げた状態の底部素材とを熱溶着させて左右、上下部の端部を接着させ、注入口５の部分が先端部に近いように突出状に設け、医薬液が充填されると底部が楕円形状に拡大される。フィルムは、ポリエチレンテレフタレートフィルム、アルミニウムフィルム、ポリエチレンテレフタレートフィルム、ポリエチレンフィルムの４層の多重フィルムを用いる。【選択図】図１
0003106114.tif 000002
【実用新案登録請求の範囲】
【請求項１】
医薬品を納入する袋上容器において、底部には上方向に折り曲げたアルミニウム素材を挟持しながらアルミニウム素材である２枚の表裏材で端部同士を接着して袋形状とし、  前記袋形状に医薬品を充填して底部を楕円形状に拡大すると共に、表裏材底部の端部が立ち形状の外壁を構成し、
前記袋形状の上部端部に注ぎ口が設けられると共に、２段から成るスリット線を注ぎ口とは反対の側端部に設けてあることを特徴とする医薬用容器。
【請求項２】
前記アルミニウム素材である２枚の表裏材の表面には、エチレンオキサイドガスによって滅菌処理を施してあることを特徴とする請求項１記載の医薬用容器。  
【請求項３】
前記アルミニウム素材は、ポリエチレンテレフタレートフィルム、アルミニウムフィルム、ポリエチレンテレフタレートフィルム、ポリエチレンフィルムと４層の多重フィルムからなることを特徴とする請求項１記載の医薬用容器。  
【考案の詳細な説明】
【技術分野】
【０００１】
本考案は、外科手術等に使用される医薬用容器に関し、更に詳しくは容器内の医薬品を注ぎ口から受け皿に注入できると共に、別途、開放口を空けけたまま綿球等を直接容器内に差込んで医薬液を浸みこませて使用可能な医薬用容器である。
【背景技術】
【０００２】
従来の医薬品容器は、ボトルタイプの容器に封入するか、フィルム製の長手形状の容器に薬剤を封入する容器が主に使用されており、フィルム製容器の場合、医薬液を充填した袋体の切込み口側から切込みを行って開封するために、開封者の指等が直接開封口付近に付着して汚染されることを防ぐことができなかったため、開封時には、消毒した手袋等をして開封する必要があった。
【０００３】
また一旦開封した容器内の消毒液等の薬品は、専用の開放型トレー容器に移し変えてから綿球をピンセットでつまんで浸し、患者の患部の消毒等をするようにしていたため空気中のゴミが開放型トレー容器内に入ることによって汚染するという問題を有していた。
【０００４】
容器の口部の汚染を防止するものとしては、特開２００２−３０１１３４号「輸液口防汚シール材」のように、「輸液容器の口部天面を覆い得るベースフィルムの片面に消毒機能を付与した粘着層を形成してなる輸液口防汚シール材」が知られている。
【特許文献１】特開２００２−３０１１３４号
【考案の開示】
【考案が解決しようとする課題】
【０００５】
外科手術等に使用される医薬用容器の場合、従来のフィルム製の容器を用いてＥＯＧ（エチレンオキサイドガス）で滅菌処理を施すと、フィルム自体が破損するためにフィルム材の表面の滅菌が不可能という問題があった。  
【０００６】
従って容器の外表面が滅菌処理しても材質が変化しない素材で、且つ、注ぎ口が使用者の指等で汚染しない構造の新規な容器の開発が望まれていた。
【課題を解決するための手段】
【０００７】
本考案者は、斯かる課題を解決するために鋭意研究したところ、薬剤を封入する素材として滅菌処理を施したアルミニウム製の薄厚素材からなる袋状容器に薬剤を封入すると共に、二重スリットからなる切り込み線を注入口とは反対方向に設けることによって直接注入口に接触しない医療用容器を提供することができた。
【０００８】
即ち本考案の第一は、医薬品を納入する袋上容器において、底部には上方向に折り曲げたアルミニウム素材を挟持しながらアルミニウム素材である２枚の表裏材で端部同士を接着して袋形状とし、  前記袋形状に医薬品を充填して底部を楕円形状に拡大すると共に、表裏材底部の端部が立ち形状の外壁を構成し、
前記袋形状の上部端部に注ぎ口が設けられると共に、２段から成るスリット線を注ぎ口とは反対の側端部に設けてあることを特徴とする医薬用容器である。
【０００９】
本考案の第二は、前記アルミニウム素材である２枚の表裏材の表面には、エチレンオキサイドガスによって滅菌処理を施してあることを特徴とする請求項１記載の医薬用容器である。  
【００１０】
本考案の第三は、前記アルミニウム素材は、ポリエチレンテレフタレートフィルム、アルミニウムフィルム、ポリエチレンテレフタレートフィルム、ポリエチレンフィルムと４層の多重フィルムからなることを特徴とする請求項１記載の医薬用容器である。  
【考案の効果】
【００１１】
本考案の容器は、綿球等が入っている開放型トレー容器に注入する場合には、上部のスリット線を切り裂くことによって注入口に直接触れずに開口できるために注入口を汚染することがなく、注入時の医薬液の汚染を防止できるものである。
【００１２】
また本考案容器を直接用いる場合には、二段目のスリット線を切り裂くことによって容器と同一径の開放口が開き、この開放口から直接、ピンセットで挟持した綿球を挿入して浸漬出来るようになっている。
【考案を実施するための最良の形態】
【００１３】
以下に、本考案の容器を図面をもって詳細に説明するが、本考案はこれらに限定されるものではない。
【実施例１】
【００１４】
図１は、本考案容器の全体を示す斜視図であるが、本考案容器は、容器本体１が長手形状の封入体であるが、容器底部が楕円形状に膨らみを有すると共に、アルミニウム素材からなる表裏材の底部の端部が立ち形状の外壁を構成している。
【００１５】
本容器には、医薬液として消毒液等を少なくとも５〜５００ｍｌを封入することができるために、一回の手術等には充分な量を提供できるものである。
【００１６】
本発明容器の素材として、アルミニウム製素材を用いるの理由は、ＥＯＧ（エチレンオキサイドガス）を用いて容器表面を滅菌処理する場合に、本考案の容器内に前記ＥＯＧが滲出しないためであるが、本考案の一例として、素材としてポリエチレンテレフタレートフィルム、アルミニウムフィルム、ポリエチレンテレフタレートフィルム、ポリエチレンフィルムと４層の多重フィルムを用いた。
【００１７】
又、本考案容器は、２枚のアルミニウム製表裏材（縦１５ｃｍ、横８，５ｃｍ）と、底部側に二つ折りに曲げた状態の底部素材（縦５ｃｍ、横８，５ｃｍ）とを熱溶着させて左右、上下部の端部を接着させるが、上部側は、図１に示されるように注入口５の部分が先端部に近いように突出形状に設けられ、底部側は充填前は、折り曲げた状態を維持し、医薬液を充填すると底部が拡大されて楕円形状に拡大されるようになる。
【００１８】
この場合、底部側に設けた楕円形状接合部１０は、図２に示されるように折り曲げた状態の底部素材と２枚のアルミニウム製表裏材とを熱溶着する場合には、外側端部から中央部にかけて楕円形状になるように外側部を長く、内側部を小さく熱溶着する。
【００１９】
医薬液を充填する前に、得られた容器表面に医薬品名や説明書き、或いはスリット線を印刷するが、この印刷前、或いは印刷後に注入口とは反対側にスリット線の端部に２個の切込み部８、９を設けている。
【図面の簡単な説明】
【００２０】
【図１】本考案容器の全体を示す斜視図である。
【図２】表裏材と底部素材とを熱溶着した部分説明図である。
【図３】医薬液を充填した容器の側面図である。
【図４】図２における底部の拡大図である。
【符号の説明】
【００２１】
１・・・容器本体
２・・・表素材
３・・・裏素材
４・・・底部素材
５・・・注入口  
６・・・上部スリット線
７・・・下部スリット線
８・・・切り込み部
９・・・切り込み部
１０・・楕円状接合部
【図１】
0003106114.tif 000003
【図２】
0003106114.tif 000004
【図３】
0003106114.tif 000005
【図４】
0003106114.tif 000006